(57)【要約】本発明は、ディスプレイ装置及びこのディスプレイ装置の標識作製方法を開示した。前記ディスプレイ装置は、アレイ基板とカラーフィルム基板とを含む。前記カラーフィルム基板の内側表面には、ブラックマトリックスと配向膜がこの順に塗布され、前記アレイ基板の内側表面には配向膜が塗布されている。前記アレイ基板とカラーフィルム基板の内側表面の縁部はシーラントを介して接着される。同じロットで露光される表示スクリーンユニットを標識するための第１の標識領域と、異なるロットで露光される表示スクリーンユニットを標識するための第２の標識領域とをそれぞれ提供した。【選択図】図４
2017503219.tif 000002
【特許請求の範囲】
【請求項１】
アレイ基板とカラーフィルム基板とを含み、
前記カラーフィルム基板の内側表面の一部には、ブラックマトリックスと配向膜がこの順に塗布され、
前記アレイ基板の内側表面の一部には配向膜が塗布され、
前記アレイ基板とカラーフィルム基板の内側表面の縁部はシーラントを介して接着され、
ディスプレイ装置底部の電極端に位置するアレイ基板の内側表面上には、同じロットで露光される表示スクリーンユニットを標識するための第１の標識領域が設置され、
前記シーラントは、前記アレイ基板とカラーフィルム基板の底部内側と垂直であり、前記アレイ基板とカラーフィルム基板との間には、異なるロットで露光される表示スクリーンユニットを標識するための第２の標識領域が設置されることを特徴とするディスプレイ装置。
【請求項２】
前記第２の標識領域は、標識シーラントの塗布により、異なるロットで露光される表示スクリーンユニットを標識することを特徴とする請求項１に記載の装置。
【請求項３】
シーラントの塗布長さにより、異なるロットで露光される表示スクリーンユニットを区分し、或いは、
前記第２の標識領域を複数のサブ領域に分け、異なるサブ領域への塗布の組合せにより、前記表示スクリーンユニットの露光ロットを標識することを特徴とする請求項２に記載の装置。
【請求項４】
前記第２の標識領域のサブ領域は、アレイ基板側の複数の金属マークによって離間されて形成されることを特徴とする請求項３に記載の装置。
【請求項５】
それぞれの金属マークの幅が金属露光寸法の最小値を満たし、高さが０．１ｍｍ〜１ｍｍに設置され、隣合う金属マークの間隔値はシーラント塗布の最小精度より大きいことを特徴とする請求項４に記載の装置。
【請求項６】
前記第１の標識領域は、アレイ基板上における金属層のパターンと同時に形成されることを特徴とする請求項１に記載の装置。
【請求項７】
ディスプレイ装置底部の電極端に位置するアレイ基板の内側表面上には、同じロットで露光される表示スクリーンユニットを標識するための第１の標識領域を設置するステップと、
前記アレイ基板とカラーフィルム基板との間には、標識シーラントの塗布により異なるロットで露光される表示スクリーンユニットを標識するための第２の標識領域を設置するステップと、
内側表面の一部に配向膜が塗布された前記アレイ基板と、内側表面の一部にブラックマトリックスと配向膜がこの順に塗布されたカラーフィルム基板の内側表面の縁部とをシーラントを介して接着するステップと、を含むディスプレイ装置の製造方法。
【請求項８】
アレイ基板上における金属層のパターンと同時に前記第１の標識領域を形成する、請求項７に記載の方法。
【請求項９】
前記第２の標識領域は、標識シーラント塗布領域となり、シーラントの塗布長さにより、或いは、前記第２の標識領域を複数のサブ領域に分け、異なるサブ領域への塗布の組合せにより、前記表示スクリーンユニットの露光ロットを標識することを特徴とする請求項８に記載の方法。
【発明の詳細な説明】
【技術分野】
【０００１】
本発明はディスプレイの技術分野に属し、特に、薄膜トランジスタ液晶ディスプレイ装置（以下称ＴＦＴ−ＬＣＤ）及びその製造方法に関する。
【背景技術】
【０００２】
表示技術分野において、液晶表示パネルは、体積が小さく、消費電力が低く、輻射がなく、解像度が高い等のメリットを有するため、現代のディジタル情報化機器に広く応用されている。
【０００３】
パネルメーカーにとって、１枚のマザーガラスから切り出される表示スクリーンユニットが多いほど、生産ラインの利益を多くあげられる。それぞれの表示スクリーンユニットを区分するために、製造過程において、それぞれの表示スクリーンユニット上にＰａｎｅｌ ＩＤを付ける。それぞれの表示スクリーンユニットのＰａｎｅｌ ＩＤが異なるため、生産ラインでは、レーザポインタを用いてそれぞれの表示スクリーンユニットに対して順にマーキングを行う必要がある。１枚のマザーガラスからの表示スクリーンユニットの数が少ないと、Ｐａｎｅｌ ＩＤのマーキング作業は楽となり、生産ラインにおいて少ないキャパシティーがかかって済む。しかし、１枚のマザーガラスからの表示スクリーンユニットの数が多いと、Ｐａｎｅｌ ＩＤのマーキング作業は煩雑となり、生産ラインにおいて多くのキャパシティーがかかる。特に、現在では、各パネル世代線からなる表示スクリーンユニットの寸法はますます小さくなり、１枚のマザーガラス基板上には、数百個の表示スクリーンユニットがあるため、Ｐａｎｅｌ ＩＤのマーキング作業は難しくなってきた。生産ラインのキャパシティーを考えた結果、表示スクリーンユニットのＰａｎｅｌ ＩＤのマーキングを行わないことになってしまい、そうすると、后の製造工程において問題があったら、前の工程へ遡ることができなくなり、生産ラインの效率を大いに低下させる。一方、現在の小寸法の表示スクリーンの周辺領域は、ますます小さくなり、Ｐａｎｅｌ ＩＤそのものも所定の空間を占めるため、小寸法表示スクリーンのＰａｎｅｌ ＩＤのマーキング方法を検討することは急務になっている。
【発明の概要】
【０００４】
上記従来技術に存在している問題を解決するために、本発明は、従来のプロセスに基づき、液晶スクリーンアレイ基板のマスクに対して特定の設計を行い、同じロットで露光される表示スクリーンユニットを区分する一方、表示スクリーンユニットの周辺領域に特定な形状を有する標識シーラント塗布領域を設置し、この領域におけるシーラントの塗布長さで、異なるロットで露光される表示スクリーンユニットを区分することにより、表示スクリーンユニットＰａｎｅｌ ＩＤのマーキングを実現する。
【０００５】
本発明の一方面はディスプレイ装置を提供し、前記ディスプレイ装置はアレイ基板とカラーフィルム基板とを含み、前記カラーフィルム基板の内側表面の一部には、ブラックマトリックスと配向膜がこの順に設置され、
前記アレイ基板の内側表面の一部には配向膜が設置され、
前記アレイ基板とカラーフィルム基板の内側表面の縁部はシーラントを介して接着され、
前記ディスプレイ装置底部の電極端に位置するアレイ基板の内側表面上には、同じロットで露光される表示スクリーンユニットを標識するための第１の標識領域が設置され、
前記シーラントは前記アレイ基板とカラーフィルム基板の底部内側と垂直し、前記アレイ基板とカラーフィルム基板との間には、異なるロットで露光される表示スクリーンユニットを標識するための第２の標識領域が設置される。
【０００６】
本発明の別の方面はディスプレイ装置の製造方法をさらに提供し、この方法は、
前記ディスプレイ装置底部の電極端に位置するアレイ基板の内側表面上には、同じロットで露光される表示スクリーンユニットを標識するための第１の標識領域を設置するステップと、
前記アレイ基板とカラーフィルム基板との間には、シーラントの塗布の標識により異なるロットで露光される表示スクリーンユニットを標識するための第２の標識領域を設置するステップと、
内側表面の一部に配向膜が設置された前記アレイ基板と、内側表面の一部にブラックマトリックスと配向膜がこの順に設置されたカラーフィルム基板の内側表面の縁部とを前記シーラントを介して接着するステップと、を含む。
【０００７】
本発明は、現在のＰａｎｅｌ ＩＤマーキングプロセスが生産ラインのキャパシティーに影響を与える課題を解決したとともに、Ｐａｎｅｌ ＩＤが表示スクリーン周辺において大きい空間を占める問題を解決した。本発明では、簡単なプロセス設計及び変更により、生産ラインのキャパシティーを効果的に向上したとともに、表示スクリーン周辺領域の設計空間を最適化した。
【図面の簡単な説明】
【０００８】
【図１】図１は１枚のマザーガラス上における表示スクリーンユニットの配列模式図である。
【図２】図２は露光プロセスで形成されたＰａｎｅｌ ＩＤの模式図である。
【図３】図３は従来技術における１つの表示スクリーンユニットの平面構造模式図である。
【図４】図４は本発明の一実施例による１つの表示スクリーンユニットの平面構造模式図である。
【図５】図５は本発明の一実施例による表示スクリーンユニットの周辺領域の断面図である。
【図６】図６は本発明の一実施例による表示スクリーンユニットのシーラントの断面模式図である。
【図７】図７は異なるロットで露光される表示スクリーンユニットの模式図である。
【図８】図８は標識シーラント金属markの構造模式図である。
【図９】図９は異なる露光ロットの表示スクリーンの模式図である。
【発明を実施するための形態】
【０００９】
本発明の目的、技術案及びメリットをより明白にするために、以下、具体的な実施例に基づき、図面を参照しながら本発明をより詳しく説明する。
【００１０】
図１は１枚のマザーガラス上における表示スクリーンユニットの配列模式図である。図１に示すように、１枚のマザーガラス上には複数枚の表示スクリーンユニットが配列され、例えば、図１に示す５４枚が挙げられる。アレイ基板の製造過程において、各層のフィルムに対しそれぞれの露光プロセスの要求があるため、一般的には、複数回にわたって１枚のマザーガラスを露光する必要がある。現在、よく見られるプロセスは、図１に示す６回露光プロセスであるが、今後、コスト及びキャパシティーを考えると、露光プロセスの回数は少なくなっていく。
【００１１】
露光プロセスが繰返しの製造プロセスであるため、異なるロットで露光される表示スクリーンユニットのＰａｎｅｌ ＩＤは、露光プロセスで区分されることができない。露光プロセスにおいて、アレイガラス基板におけるある１層のマスクに対して特定のＰａｎｅｌ ＩＤ（例えばＳ１，Ｓ２，Ｓ３・・・Ｓ９等）を設計することにより、同じロットで露光される表示スクリーンユニットを識別することができるが、図２に示すように、異なるロットで露光される表示スクリーンユニットを識別することができない。
【００１２】
将来の表示スクリーンには、狭枠型の発展傾向がある。したがって、表示スクリーンユニットＰａｎｅｌ ＩＤの標識について、製造時のキャパシティーだけではなく、Ｐａｎｅｌ ＩＤが表示スクリーンユニットの周辺領域において占める空間の大きさを考える必要もある。ＴＶ（テレビ）及びＮＢ（ノートパソコン）製品では、１つのＰａｎｅｌ ＩＤが占める空間の大きさは１ｃｍ×１０ｃｍであるが、携帯電話の場合、表示スクリーン周辺の空間が割りに小さく、アレイ基板上の配線が多いため、ＴＶやＮＢ製品のように１ｃｍ×１０ｃｍのような大空間を取っておくことができない。図３は従来技術における１つの表示スクリーンユニットの平面構造模式図である。図３に示すように、Ｐａｎｅｌ ＩＤが表示スクリーンの一端または隅に配置されることは一般的である。
【００１３】
上記考えに基づき、本発明では、主に、露光プロセスと、アレイ基板とカラーフィルム基板との継ぎ合わせのときに接着作用を奏するシーラント塗布プロセスとを組み合せることにより、１枚のマザーガラス上における全ての表示スクリーンユニットＰａｎｅｌ ＩＤに対する有效なマーキングを実現する。
【００１４】
図４は本発明の一実施例による１つの表示スクリーンユニットの平面構造模式図であり、図５は本発明の一実施例による表示スクリーンユニットの周辺領域の断面図であり、図６は本発明の一実施例による表示スクリーンユニットのシーラントの断面模式図である。図４〜６に示すように、本発明の一方面によるディスプレイ装置は、アレイ基板１とカラーフィルム基板２とを含む。そのうち、前記カラーフィルム基板２の内側表面の一部には、ブラックマトリックス３と配向膜４がこの順に塗布されており、前記アレイ基板１の内側表面の一部には配向膜４が塗布されており、前記アレイ基板１とカラーフィルム基板２の内側表面の縁部はシーラント５を介して接着されている。本発明では、シーラント５の接着位置が特に限定されない。シーラントは、シール及び導電の作用を兼ね備えるシーラントであってもよい。前記シーラントは、カラーフィルム基板２及びアレイ基板１の内側表面における共通電極とそれぞれ接触することにより、アレイ基板１の共通電極とカラーフィルム基板２の共通電極とを導通させる。
【００１５】
前記ディスプレイ装置の底部の電極端（Ｓｏｕｒｃｅ端）に位置するアレイ基板１の内側表面上には、同じロットで露光される表示スクリーンユニットを標識するための第１の標識領域が設置されている。
【００１６】
前記シーラント５は前記アレイ基板１及びカラーフィルム基板２の底部内側と垂直であり、前記アレイ基板１とカラーフィルム基板２との間には、シーラントの塗布の標識により異なるロットで露光される表示スクリーンユニットを標識するための第２の標識領域が設置されている。
【００１７】
例えば、シーラントの塗布の長さにより、異なるロットで露光される表示スクリーンユニットを標識し、或いは、前記第２の標識領域を複数のサブ領域に分け、異なるサブ領域への塗布の組合せにより、この表示スクリーンユニットの露光ロットを標識してもよい。
【００１８】
本発明の一実施例において、前記第１の標識領域は、アレイ基板１上における金属層のパターンと同時に形成される。一般的には、パターンプロセスとは、薄膜のスパッタリングや沈着、フォトレジストの塗布、露光、現像、エッチング、剥離などの工程のことをいう。
【００１９】
図６に示すように、前記第２の標識領域は標識シーラント塗布領域６である。本発明の一実施例において、前記標識シーラント塗布領域は矩形であり、アレイガラス基板の６回露光プロセスを例とすると、この矩形の長さは６ｍｍに設置される。アレイガラス基板上の金属層でこの領域を６つのサブ領域（シーラント塗布の位置精度が０．２ｍｍであることを考えると、それぞれのサブ領域の長さは１ｍｍである）に等分することができ、塗布するサブ領域の数で露光の回数を標識することができる。
【００２０】
図６に示すように、前記第２の標識領域はシーラントの内側に位置し、主にアレイ基板側の金属マーク（ｍａｒｋ）及び標識シーラント６の塗布によりマーキングする。図７は標識シーラントの金属マークの構造模式図である。図７において、７つの隣合った金属マークで前記第２の標識領域を形成し、それぞれの金属マークの幅を０．０２ｍｍに設置し、高さを０．５ｍｍに設置し、隣合う金属マークを１ｍｍの等間隔で分布させる。このように、６段の空間を分割した。この６段の空間はそれぞれマザーガラス上の６つの露光領域に対応し、標識シーラントにより、第１の露光領域内において１段目の空間を塗布し、第２の露光領域内において２段目の空間を塗布する。このように、第６の露光領域内において６段目の空間を塗布する。図８に示すように、このように、異なる露光領域の同一位置の表示スクリーンユニットを異なる長さの標識シーラント（図２に示す）で区分する目的を達成している。前記金属マークは信号線（Ｄａｔａ層）又はゲート線（Ｇａｔｅ層）の金属層で実現されることができる。勿論、前記金属マークの配置は上記状況に限らない。実際に、前記金属マークの幅が金属露光寸法の最小値を満たせばよく、高さが０．１ｍｍ〜１ｍｍに設置され、隣合う金属マークの間隔値はシーラント塗布の最小塗布精度０．２ｍｍより大きいはずである。
【００２１】
前記のように、露光プロセスによって、同じロットで露光される複数の表示スクリーンユニットを区分することができるが、異なるロットで露光される表示スクリーンユニットを区分することができない。本発明では、シーラント塗布を行うとき、まず、第１の標識領域シーラントの塗布を先に行い、そして、異なる露光領域（Ａ１，Ａ２，Ａ３，Ａ４，Ａ５，Ａ６）内の表示スクリーンユニットについて第２の標識領域シーラントの塗布を行う。図９に示すように、Ａ１領域における全ての表示スクリーンユニットについて、第２の標識領域において１段のシーラントを塗布し、Ａ２領域における全ての表示スクリーンユニットについて、第２の標識領域において２段のシーラントを塗布し、このように、Ａ６領域における全ての表示スクリーンユニットについて、第２の標識領域において６段のシーラントを塗布する。このように、シーラントの塗布図形の差異により、異なる露光ロットの表示スクリーンユニットを区分する目的を達成でき、最終的には、マザーガラス上の全ての表示スクリーンユニットＰａｎｅｌ ＩＤの標識を実現することができる。勿論、本発明における露光回数は６回に限らず、６回以上または６回未満であってもよい。
【００２２】
上述の通り、本発明では、露光プロセスで形成される第１の標識領域と、それぞれの表示スクリーンユニットの第２の標識領域とを組合せば、マザーガラス上におけるいずれか１つの表示スクリーンユニットの位置を確定し、表示スクリーンユニットを精確にマーキングする目的を達し得る。
【００２３】
本発明の別の方面は、以下のステップを含むディスプレイ装置の製造方法をさらに提出した。
【００２４】
ステップ１：前記ディスプレイ装置底部の電極端に位置するアレイ基板の内側表面上には、同じロットで露光される表示スクリーンユニットを標識するための第１の標識領域を設置する。
【００２５】
本発明の一実施例において、前記第１の標識領域は、アレイ基板上における金属層のパターンと同時に形成される。一般的には、パターンプロセスとは、薄膜のスパッタリングや沈着、フォトレジストの塗布、露光、現像、エッチング、剥離などのプロセスのことをいう。
【００２６】
ステップ２：前記アレイ基板とカラーフィルム基板との間には、シーラントの塗布の標識により異なるロットで露光される表示スクリーンユニットを標識するための第２の標識領域を設置する。
【００２７】
ステップ３：前記アレイ基板とカラーフィルム基板の内側表面の縁部をシーラントを介して接着する。そのうち、前記カラーフィルム基板の内側表面の一部にはブラックマトリックスと配向膜がこの順に塗布されており、前記アレイ基板の内側表面の一部には配向膜が塗布されている。
【００２８】
そのうち、前記ステップ１とステップ２の実行順序には特別な要求がなく、互いに入れ替わることができる。
【００２９】
前記第２の標識領域は標識シーラント塗布領域であり、例えば、シーラントの塗布長さにより、異なるロットで露光される表示スクリーンユニットを区分することができる。或いは、前記第２の標識領域を複数のサブ領域に分け、異なるサブ領域に対する塗布の組合せにより、この表示スクリーンユニットの露光ロットを標識する。
【００３０】
現在、パネルメーカーは、レーザコードプリンタで表示スクリーンユニットのコードプリントを行う。即ち、表示スクリーンユニット上に１枚の金属層を形成し、マザーガラス上のそれぞれのスクリーンユニットに対してレーザを用いて一回のコードプリントを行う。それは、手動作業で手間がかかり、生産ラインのキャパシティーに影響を与える欠点を有する。本発明では、露光プロセスとシーラント塗布プロセスとの組合せによって、マザーガラス上の表示スクリーンユニットの標識（即コードプリント）を実現した。全てのプロセスは、オートマチック操作であり、手間がかからず、キャパシティーへの影響が小さい。同時に、現在のＰａｎｅｌ ＩＤが占める空間に比べて、本発明における標識領域が占める表示スクリーンの周辺領域が小さいため、表示スクリーン周辺の設計を最適化した。
【００３１】
前記の具体的な実施例により、本発明の目的、技術案及び有益な効果をさらに詳しく説明したが、上記は本発明の具体的な例示に過ぎず、本発明を制限するためのものではない。本発明の思想及び旨内で行った如何なる補正、等価代替、改善なども、本発明の保護範囲内に含まれるはずである。
【図１】
2017503219.tif 000003
【図２】
2017503219.tif 000004
【図３】
2017503219.tif 000005
【図４】
2017503219.tif 000006
【図５】
2017503219.tif 000007
【図６】
2017503219.tif 000008
【図７】
2017503219.tif 000009
【図８】
2017503219.tif 000010
【図９】
2017503219.tif 000011
【国際調査報告】
2017503219.tif 000012
2017503219.tif 000013
2017503219.tif 000014
2017503219.tif 000015